(57)【特許請求の範囲】
【請求項１】
照明本体部と、前記照明本体部を支持する設置用具とを備え、
前記照明本体部は、上端部を閉塞して形成された略筒状の嵌合固定部と、前記嵌合固定部に一体に取り付けられた灯具とを備え、
前記設置用具は、上端部側に設けられ、前記照明本体部を取り付ける取付部と、前記取付部の下面から軸線方向に沿って下方に延設されたスパイク部とを備え、
前記取付部は、略ブロック状に形成され、上端側に前記照明本体部の前記嵌合固定部の内部に挿入して嵌合させる被嵌合部を備え、下端側に前記被嵌合部から下方に延出して前記スパイク部の上端が繋がる延出部を備えて形成され、且つ、側面に開口しつつ前記被嵌合部の上面から前記延出部の下面まで貫通する溝状の配線導通路を備えて形成されていることを特徴とする外構用照明装置。
【請求項２】
請求項１記載の外構用照明装置において、
前記延出部の下面が前記スパイク部を地中に貫入させて設置する際に地面に当接して貫入量を規定する根入れ止め面とされている外構用照明装置。
【請求項３】
請求項１または請求項２に記載の外構用照明装置において、
前記取付部には前記被嵌合部の上面側から前記延出部に貫通する水抜き孔が設けられている外構用照明装置。
【発明の詳細な説明】
【技術分野】
【０００１】
本発明は、外構用の照明装置に関する。
【背景技術】
【０００２】
従来、夜間の通路を明るくしたり、ライトアップによって意匠性をよくする等の目的で、外構用の照明装置が庭などの屋外の任意の場所に設置される（例えば、特許文献１、特許文献２参照）。また、この種の照明装置Ａには、図８から図１０に示すように、上端部側から下端部に向かうに従い漸次幅が小となり、下端部が尖るように形成されたスパイク部（設置用具）１と、スパイク部１の上端部側に取り付けられた照明本体部（灯具部）２とを備えて構成したものがある。
【０００３】
また、例えば、照明本体部２はスパイク部１の上端部に着脱可能に取り付けるためのブラケット部３と、ブラケット部３に取り付けられた灯具４とを備えて構成されている。
【０００４】
さらに、ブラケット部３が中空状に形成され、且つ側面に配線導出孔５を備えて形成され、照明本体部２は灯具４に接続した配線６をブラケット部３の内部から配線導出孔５を通じて外側に延出させるように構成されている。また、配線導出孔５には配線６を挿通しつつブラケット部３の内側に水が浸入することを防止するための防水用治具７が取り付けられる。
【０００５】
そして、このように構成した照明装置Ａにおいては、スパイク部１の上端部に照明本体部２を取り付け、スパイク部１を地中に貫入して配線６を電源に接続することで、屋外の任意の場所に容易に設置することができる。
【先行技術文献】
【特許文献】
【０００６】
【特許文献１】特開２０１１−１７５９１６号公報
【特許文献２】特開平１０−２２３３３９号公報
【発明の概要】
【発明が解決しようとする課題】
【０００７】
しかしながら、上記従来の外構用の照明装置Ａにおいては、図８から図１０に示すように、ブラケット部３に配線導出孔５を設け、この配線導出孔５から配線６を外側に延出させるように構成されているため、さらに配線導出孔５に防水用治具７を取り付けるようにしているため、配線６や防水用治具７が大きく露出し、見栄えが悪くなってしまう。
【０００８】
さらに、スパイク部１には、地面Ｇに当接して貫入量を規定する根入れ止め８（根入れ止め面９）がブラケット部３の下方に間隔をあけて設けられている。このため、地面Ｇに所定量でスパイク部１を貫入させた状態でブラケット部３と地Ｇ面（根入れ止め８）の間に隙間Ｈが生じてしまい、さらに見栄えが悪くなってしまう。
【０００９】
本発明は、上記事情に鑑み、見栄えを損なうことなく好適に設置することを可能にする外構用照明装置を提供することを目的とする。
【課題を解決するための手段】
【００１０】
上記の目的を達するために、この発明は以下の手段を提供している。
【００１１】
本発明の外構用照明装置は、照明本体部と、前記照明本体部を支持する設置用具とを備え、前記照明本体部は、上端部を閉塞して形成された略筒状の嵌合固定部と、前記嵌合固定部に一体に取り付けられた灯具とを備え、前記設置用具は、上端部側に設けられ、前記照明本体部を取り付ける取付部と、前記取付部の下面から軸線方向に沿って下方に延設されたスパイク部とを備え、前記取付部は、略ブロック状に形成され、上端側に前記照明本体部の前記嵌合固定部の内部に挿入して嵌合させる被嵌合部を備え、下端側に前記被嵌合部から下方に延出して前記スパイク部の上端が繋がる延出部を備えて形成され、且つ、側面に開口しつつ前記被嵌合部の上面から前記延出部の下面まで貫通する溝状の配線導通路を備えて形成されていることを特徴とする。
【００１２】
この発明においては、スパイク部を地中に貫入させることで設置用具を固定することができ、設置用具の取付部の被嵌合部に嵌合固定部を嵌合させることによって照明本体部を設置することができる。また、このとき、設置用具の取付部に形成された配線導通路内に照明本体部に接続した配線を挿通することによって、照明本体部の嵌合固定部よりも下方に位置する設置用具の延出部側から配線を外部に引き出すことができる。
【００１３】
これにより、従来のように照明本体部（ブラケット部、嵌合固定部）に配線導出孔を設ける必要がなく、嵌合固定部の側面から配線が延出することがないため、見栄えをよくすることができる。
【００１４】
さらに、配線が取付部に形成された配線導通路を通じて嵌合固定部の下方から引き出されるため、配線の灯具への接続部分に雨水等が入りにくい構造を実現でき、従来のように防水用治具を別途設けることを不要にでき、見栄えを大幅によくすることができる。
【００１５】
また、本発明の外構用照明装置において、前記延出部の下面が前記スパイク部を地中に貫入させて設置する際に地面に当接して貫入量を規定する根入れ止め面とされていることが望ましい。
【００１６】
この発明においては、スパイク部を地中に貫入させて設置する際に、設置用具の取付部の下面（延出部の下面／根入れ止め面）が地面に当接することで、それ以上スパイク部を貫入させないようにし、好適な位置に取付部を配設することができる。
【００１７】
さらに、設置用具の取付部の下端部側の延出部の下面が地面に当接する根入れ止め面とされ、設置用具の取付部の上端部側が照明本体部を取り付ける被嵌合部であることにより、照明本体部の嵌合固定部と地面の間に取付部の延出部が配置される。これにより、照明本体部の嵌合固定部と地面の間に大きな隙間が生じることがなく、見栄えを大幅によくすることができる。
【００１８】
さらに、本発明の外構用照明装置において、前記取付部には前記被嵌合部の上面側から前記延出部に貫通する水抜き孔が設けられていることがより望ましい。
【００１９】
この発明においては、万一、照明本体部の嵌合固定部と設置用具の取付部の被嵌合部の間に水が浸入した場合であっても、浸入した水を水抜き孔から外部に排出することができる。これにより、従来のように防水用治具を設けなくても防水性を確保できる。よって、見栄えを大幅によくすることができる。
【発明の効果】
【００２０】
本発明の外構用照明装置においては、見栄えを損なうことなく好適に照明装置を設置することが可能になる。
【図面の簡単な説明】
【００２１】
【図１】本発明の一実施形態に係る外構用照明装置を示す斜視図である。
【図２】本発明の一実施形態に係る外構用照明装置を示す斜視図である。
【図３】本発明の一実施形態に係る外構用照明装置を示す背面図である。
【図４】本発明の一実施形態に係る外構用照明装置を示す断面図である。
【図５】図３のＸ１−Ｘ１線矢視図であり、本発明の一実施形態に係る外構用照明装置を示す下面図である。
【図６】図３のＸ２−Ｘ２線矢視図である。
【図７】図６のＸ３−Ｘ３線矢視図である。
【図８】従来の外構用照明装置を示す斜視図である。
【図９】従来の外構用照明装置を示す側面図である。
【図１０】従来の外構用照明装置を示す正面図である。
【発明を実施するための形態】
【００２２】
以下、図１から図７を参照し、本発明の一実施形態に係る外構用照明装置について説明する。
【００２３】
本実施形態の外構用照明装置Ｂは、屋外の任意の場所に設置可能な外構用の照明装置であり、図１から図７に示すように、照明本体部１０と、照明本体部１０を任意の場所に設置するための設置用具１１とを備えて構成されている。
【００２４】
照明本体部１０は、天板部１２ａを設けて上端を閉塞した略筒状の嵌合固定部１２と、嵌合固定部１２の天板部１２ａに取り付けられた灯具１３とを備えて構成されている。また、本実施形態では、天板部１２ａに軸受が突設されており、灯具１３の軸部をこの軸受に取り付けることによって、灯具１３が回動自在に設けられている。これにより、灯光方向を自在に変えることができる。
【００２５】
設置用具１１は、上端部側に設けられ、照明本体部１０を取り付けるための取付部１４と、取付部１４の下面から上下方向に延びる軸線Ｏ１方向に沿って下方に延設されたスパイク部１５とを備えている。
【００２６】
本実施形態の取付部１４は、略ブロック状に形成され、上端側に照明本体部１０の嵌合固定部１２の内部に挿入して嵌合させる被嵌合部１６を備え、下端側に被嵌合部１６から下方に延出し、スパイク部１５の上端が繋がる延出部１７を備えて形成されている。また、この取付部１４には、側面に開口しつつ被嵌合部１６の上面１４ａから延出部１７の下面１４ｂまで貫通する溝状の配線導通路１８が形成されている。
【００２７】
また、図４から図６に示すように、本実施形態の取付部１４には被嵌合部１６の上面１４ａ側から延出部１７に貫通する水抜き孔１９が設けられている。さらに、図１から図４に示すように、延出部１７の下面（取付部１４の下面１４ｂ）がスパイク部１５を地中に貫入させて設置した際に地面Ｇに当接して貫入量を規定する根入れ止め面とされている。
【００２８】
スパイク部１５は、取付部１４と中心軸線Ｏ１を同軸上に配し、上端部を取付部１４の下面１４ｂに接続して軸線Ｏ１方向下方に延設されている。さらに、本実施形態のスパイク部１５は、上端部側から下端部に向かうに従い漸次幅が小となり、下端部が尖るように形成されている。また、このスパイク部１５は、側面から中心軸Ｏ１方向に凹み、上端部から下端部まで延びる４つの凹部を備えて断面十字状に形成されている。
【００２９】
そして、上記構成からなる本実施形態の外構用照明装置Ｂにおいては、スパイク部１５を地中に貫入させることで設置用具１１を固定することができ、設置用具１１の取付部１４の被嵌合部１６に嵌合固定部１２を嵌合させることによって照明本体部１０を設置することができる。
【００３０】
また、このとき、設置用具１１の取付部１４に形成された配線導通路１８内に照明本体部１０に接続した配線２０を嵌め込む（挿通する）ことによって、照明本体部１０の嵌合固定部１２よりも下方に位置する設置用具１１の延出部１７側から配線２０を外部に引き出すことができる。
【００３１】
これにより、従来のように照明本体部１０（ブラケット部３、嵌合固定部１２）に配線導出孔５を設ける必要がなく、嵌合固定部１２の側面から配線２０が延出することがない。このため、従来と比較し、見栄えを大幅によくすることができる。
【００３２】
さらに、配線２０が取付部１４に形成された配線導通路１８を通じて嵌合固定部１２の下方から引き出されるため、配線２０の灯具１３への接続部分に雨水等が入りにくい構造を実現できる。これにより、従来のように防水用治具７を別途設けることが不要になり、この点からも見栄えを大幅によくすることができる。
【００３３】
また、本実施形態の外構用照明装置Ｂにおいては、万一、照明本体部１０の嵌合固定部１２と設置用具１１の取付部１４の被嵌合部１６の間に水が浸入した場合であっても、浸入した水を水抜き孔１９から外部に排出することができる。これにより、従来のように防水用治具７を設けなくても防水性を確保できる。
【００３４】
また、本実施形態の外構用照明装置Ｂにおいては、スパイク部１５を地中に貫入させて設置する際に、略ブロック状に形成された設置用具１１の取付部１４の下面（根入れ止め面）１４ｂが地面Ｇに当接することで、それ以上スパイク部１５を貫入させないようにし、好適な位置に取付部１４を配設することができる。
【００３５】
そして、このとき、設置用具１１の取付部１４の下端部側の延出部１７の下面１４ｂが地面Ｇに当接する根入れ止め面とされ、設置用具１１の取付部１４の上端部側が照明本体部１０を取り付ける被嵌合部１６とされていることにより、照明本体部１０の嵌合固定部１２と地面Ｇの間に取付部１４の延出部１７が配置される。これにより、照明本体部１０の嵌合固定部１２と地面Ｇの間に大きな隙間Ｈが生じることがなく、見栄えを大幅によくすることができる。
【００３６】
また、本実施形態の外構用照明装置Ｂにおいては、照明本体部１０からスパイク部１５を取り外し、この照明本体部１０の嵌合固定部１２を支柱の上端部に嵌合させ、支柱に設置することもできる。これにより、照明装置Ｂの外構としての汎用性を高めることができる。
【００３７】
以上、本発明に係る外構用照明装置の一実施形態について説明したが、本発明は上記の一実施形態に限定されるものではなく、その趣旨を逸脱しない範囲で適宜変更可能である。
【００３８】
例えば、本実施形態では、配線導通路１８が取付部１４の側面に開口しつつ被嵌合部１６の上面１４ａから延出部１７の下面１４ｂまで貫通して溝状に形成されているものとしたが、本発明にかかる配線導通路１８は被嵌合部１６の上面１４ａと延出部１７の側面に開口して連通していればよい。このため、必ずしも溝状に限定しなくてもよい。
【符号の説明】
【００３９】
１      従来のスパイク部（設置用具）
２      従来の照明本体部（灯具部）
３      ブラケット部
４      灯具
５      配線導出孔
６      配線
７      防水用治具
１０    照明本体部
１１    設置用具
１２    嵌合固定部
１２ａ  天板部
１３    灯具
１４    取付部
１４ａ  上面
１４ｂ  下面（根入れ止め面）
１５    スパイク部
１６    被嵌合部
１７    延出部
１８    配線導通路
１９    水抜き孔
２０    配線
Ａ      従来の外構用照明装置
Ｂ      外構用照明装置
Ｈ      隙間
Ｏ１    軸線
【図１】
0006374314.tif 000002
【図２】
0006374314.tif 000003
【図３】
0006374314.tif 000004
【図４】
0006374314.tif 000005
【図５】
0006374314.tif 000006
【図６】
0006374314.tif 000007
【図７】
0006374314.tif 000008
【図８】
0006374314.tif 000009
【図９】
0006374314.tif 000010
【図１０】
0006374314.tif 000011